(57)【要約】【課題】オペレーティング・システムが有するハイバネーション・モードをそのまま使用して、測定装置の不要な電力消費を防止できると共に、電源オンの際に測定装置を迅速に動作可能状態にする。【解決手段】電源がオンにされたとき、直前の電源オフがハイバネーション・モードの場合、オペレーティング・システムの制御により、不揮発性記憶装置から退避データをＲＡＭに転送し（６２）、アプリケーション・ソフトウェアの制御によりＲＡＭの退避データにより測定器を初期化する（６４）。電源がオンにされたとき、直前の電源オフが通常オフ・モードの場合、アプリケーション・ソフトウェアの制御により、不揮発性記憶装置から初期化データをＲＡＭに転送し（６６）、ＲＡＭに転送された初期化データにより測定器を初期化する（６８）。【選択図】図３
2011013915.tif 000002
【特許請求の範囲】
【請求項１】
中央処理装置、ランダム・アクセス・メモリ及び不揮発性記憶装置を有しオペレーティング・システムにより制御されるコンピュータ・システムと、該コンピュータ・システムにより制御される測定器とを具えた測定装置の制御方法であって、
ハイバネーション・モードにされたとき、上記オペレーティング・システムの制御により、上記ランダム・アクセス・メモリのデータを上記不揮発性記憶装置に退避させ、その後に電源をオフとし、
電源がオンにされたとき、直前の電源オフがハイバネーション・モードの場合、上記オペレーティング・システムの制御により、上記不揮発性記憶装置から退避データを上記ランダム・アクセス・メモリに転送し、アプリケーション・ソフトウェアの制御により上記ランダム・アクセス・メモリに転送された上記退避データにより上記測定器を初期化し、
電源がオンにされたとき、直前の電源オフが通常オフ・モードの場合、上記アプリケーション・ソフトウェアの制御により、上記不揮発性記憶装置から初期化データを上記ランダム・アクセス・メモリに転送し、上記ランダム・アクセス・メモリに転送された上記初期化データにより上記測定器を初期化することを特徴とする測定装置の制御方法。
【発明の詳細な説明】
【技術分野】
【０００１】
本発明は、オペレーティング・システムにより制御されるコンピュータ・システムと、このコンピュータ・システムによって制御される測定器とを具えた測定装置の制御方法に関する。
【背景技術】
【０００２】
測定器には、オシロスコープ、ロジック・アナライザ、スペクトラム・アナライザ、信号発生器、ビデオ試験機器、ネットワーク監視／診断システム、ネットワーク・アナライザなど種々のものが存在する。従来のこれら測定器は、測定機能、信号発生機能、試験機能、診断機能を、内蔵する専用の中央処理装置（ＣＰＵ）及びリード・オンリ・メモリ（ＲＯＭ）に記憶されたプログラム（ファームウェア）によって直接的に制御していた。しかし、最近の測定器は、ファームウェアによる制御ではなく、汎用のコンピュータ・システムを測定器と一体化して測定装置とするか、コンピュータ・システムとしてのパーソナル・コンピュータ（ＰＣ）を測定器に接続して測定器を制御できるようにし、全体として測定装置としている。この場合、コンピュータ・システム部分は、ウィンドウズ（登録商標）などの汎用オペレーティング・システムにより制御されている。
【０００３】
かかる測定装置の一例を図１に示す。測定装置１０は、バス１２に接続されたＣＰＵ１４、ＲＡＭ１６、不揮発性記憶装置としてのハードディスク１８、液晶表示器などの表示器２０、キーボード及びマウスなどの入力装置２２を有する。ハードディスク１８には、オペレーティング・システムや、測定に必要な種々のアプリケーション・ソフトウェアが記憶されている。これらブロック１４〜２２がコンピュータ・システムを構成する。また、バス１２には、上述の種々の測定器２４の１つも接続されている。例えば、測定器２４は、任意信号発生器であり、信号を発生するための機能をＦＰＧＡ（フィールド・プログラマブル・ゲート・アレイ）２６で実現しており、また、種々の設定値を記憶するレジスタ２８も含んでいる。電源制御器３０は、スイッチ３２に応じて、電源回路（図示せず）のオン及びオフを制御する。なお、必要に応じて、ＣＰＵ１４を起動するためのソフトウェアを記憶したＲＯＭも具えている。
【０００４】
電源スイッチ３２がオンになると、電源制御器３０がオン命令を受けて電源を起動する。ＣＰＵ１４は、ハードディスク１８に記憶されたオペレーティング・システムを呼出して動作を開始し、オペレーティング・システムに制御されて、ハードウェア１８に蓄積された初期化データをＲＡＭ１６に転送する。ＲＡＭ１６に転送された初期化データは、測定器２４内のＦＰＧＡ２６やレジスタ２８を初期化する。これらの動作により、測定装置１０である任意信号発生器の動作準備が完了する。操作者は、表示器２０の表示を見ながら入力装置２２を介して、発生しようとする信号に応じた設定データを、ＲＡＭ１６を介して、ＦＰＧＡ２６及びレジスタ２８などに書き込む。このように、発生する信号の準備が完了すると、測定器２４が設定された信号を発生する。ここで、測定器２４内のＦＰＧＡ２６及びレジスタ２８などに蓄積されたデータは、ＲＡＭ１６にも蓄積されている点に留意されたい。
【０００５】
汎用オペレーティング・システムの中には、ウィンドウズ（登録商標）のようにレジューム機能を具えているものがある。レジューム機能には、サスペンド・モードやハイバネーション・モードがある。サスペンド・モードとは、このモードで電源スイッチ３２をオフにしても、コンピュータ・システム内のＲＡＭ１６にデータを保持するのに必要な最低電力を起動し続け、電源スイッチ３２をオンにしたとき、ハードディスク１８からデータをコンピュータ・システム内のＲＡＭ１６に転送しなくても、電源オフのときのデータがそのままＲＡＭ１６に残っている。よって、コンピュータ・システムの起動を早くできるが、常に電力を消費している。また、ハイバネーション・モードは、このモードで電源スイッチ３２をオフにしても、オペレーティング・システムがコンピュータ・システム内のＲＡＭ１６のデータをハードディスク１８に退避させた後に電源回路をオフとし、電源スイッチ３２をオンにしたとき、ハードディスク１８に退避されたデータをコンピュータ・システム内のＲＡＭ１６に転送して、電源オフのときのＲＡＭ１６の状態に戻す。よって、ハイバネーション・モードは、電源を完全にオフにできるが、電源スイッチがオンにより復帰する際の速度がサスペンド・モードよりも遅い。この点については、例えば、特開２００８−１５２７０８号公報に記載されている。
【０００６】
ところで、コンピュータ・システムのオペレーティング・システムのレジューム機能は、コンピュータ・システム内にしか作用しない。よって、コンピュータ・システムを有する測定装置において、オペレーティング・システムのレジューム機能を有効にすると、レジューム機能からの回復する際に、コンピュータ・システム内のＲＡＭ１６などは元の状態（記憶したデータ内容）に戻るが、測定器２４内のＦＰＧＡ２６及びレジスタ２８の状態（記憶したデータ内容）が元に戻らないため、ＲＡＭ１６とＦＰＧＡ２６及びレジスタ２８との間でデータの不一致が生じ、測定装置が誤動作をしてしまう。この誤動作を防止するため、従来の測定装置では、オペレーティング・システムのレジューム機能を無効にして、この機能を活用できないようにした。すなわち、測定装置では、電源をオンにした際は、必ず、初期化データにより、コンピュータ・システムと測定器の両方を初期化し、電源オフの前の動作中の状態に戻すことができなかった。
【０００７】
チョイ等が発明者で１９９８年５月５日に発行された米国特許第５７４８９７１号明細書は、オプション・カード用のスロットを具えたコンピュータ・システムにおいて、ハイバネーション・モードからの復帰速度を改善するシステムを開示している。ここでは、ハイバネーション・モードから復帰の際に、ＲＡＭやグラフィック・カードを初期化し、バイオス（BIOS）により読み出された専用のソフトウェアにより、オプション・カードを初期化した。よって、ハイバネーション用の専用の初期化ソフトウェアを開発する必要があった。また、測定装置を長期間にわたって製造する際、バイオスのバージョンが変更したりして、その都度、バイオスと専用の初期化ソフトウェアとの整合性を検証するなどの手間が必要であり、不便である。
【先行技術文献】
【特許文献】
【０００８】
【特許文献１】特開２００８−１５２７０８号公報
【特許文献２】米国特許第５７４８９７１号明細書
【発明の概要】
【発明が解決しようとする課題】
【０００９】
そこで、コンピュータ・システム及び測定器から構成される測定装置においても、簡単な方法でハイバネーション・モードを利用できることが望まれている。
【課題を解決するための手段】
【００１０】
本発明は、中央処理装置、ランダム・アクセス・メモリ及び不揮発性記憶装置を有しオペレーティング・システムにより制御されるコンピュータ・システムと、該コンピュータ・システムにより制御される測定器とを具えた測定装置の制御方法であって；ハイバネーション・モードにされたとき、オペレーティング・システムの制御により、ランダム・アクセス・メモリのデータを不揮発性記憶装置に退避させ、その後に電源をオフとし；電源がオンにされたとき、直前の電源オフがハイバネーション・モードの場合、オペレーティング・システムの制御により、不揮発性記憶装置から退避データをランダム・アクセス・メモリに転送し、アプリケーション・ソフトウェアの制御によりランダム・アクセス・メモリに転送された退避データにより測定器を初期化し；電源がオンにされたとき、直前の電源オフが通常オフ・モードの場合、アプリケーション・ソフトウェアの制御により、不揮発性記憶装置から初期化データをランダム・アクセス・メモリに転送し、ランダム・アクセス・メモリに転送された初期化データにより測定器を初期化することを特徴とする。
【発明の効果】
【００１１】
よって、本発明は、例えば、ウィンドウズ（登録商標）などの汎用オペレーティング・システムが有するハイバネーション・モードをそのまま使用でき、バイオスのバージョン変更に伴う考慮も不要で、ハイバネーション・モードを測定装置に適用できる。これにより、測定装置の不要な電力消費を防止できると共に、電源オンの際に測定装置を迅速に動作可能状態にできる。
【図面の簡単な説明】
【００１２】
【図１】測定器及びコンピュータ・システムを有する測定装置のブロック図である。
【図２】ハイバネーション・モードで電源をオフにする際の動作を説明する流れ図である。
【図３】電源がオンにされた際の動作を説明する流れ図である。
【図４】ハイバネーション・モードで電源がオフとされて、その後電源がオンとなったか否かを判断するタイマー・ルーチンの動作を説明する流れ図である。
【発明を実施するための形態】
【００１３】
本発明の測定装置の制御方法は、上述した構成の図１の測定装置に適用できる。後述のように電源スイッチ３２がオンとなり、測定器２４が動作を開始すると、入力装置２２から入力された種々の設定データがＲＡＭ１６に記憶され、このＲＡＭ１６に記憶されたデータが、測定器２４のＦＰＧＡ２６を設定し、レジスタ２８に記憶されて、測定器２４が所望の動作を行う。測定器２４の設定情報や動作状況は、表示器２０に従来方法で表示される。よって、測定器２４内のＦＰＧＡ２６の設定データや、レジスタ２８に記憶されているデータは、ＲＡＭ１６にも記憶されている。
【００１４】
図２は、本発明によって、ハイバネーション・モードで電源をオフにする際の動作を説明する流れ図である。以下の動作は、ソフトウェアに基づいて、ＣＰＵ１４などが制御する。ステップ５０では、電源制御器３０が、ハイバネーション・モードとして電源スイッチ５２がオフにされたかをスイッチ５２の状態から判断する。ハイバネーション・モードが選択されなければ（ノーならば）、ステップ５０に戻る。ハイバネーション・モードが選択された場合（イエスの場合）、ステップ５２に進み、オペレーティング・システム（ＯＳ）が、ＲＡＭ１６の内容（記憶データ）をハードディスク１８に退避させる。ステップ５２が終了すると、ステップ５４に進み、オペレーティング・システムが電源制御器３０を介して電源回路（図示せず）をオフにし、終了する。
【００１５】
図３は、電源がオンにされた際の動作を説明する流れ図である。ステップ５６にて、電源スイッチ３２がオンにされたことを検知すると、電源回路が起動し、ハードディスク１８に記憶されたオペレーティング・システムが読み出され、コンピュータ・システム（ＰＣ部分）を初期化する。次に、ステップ６０にて、直前の電源オフがハイバネーション・モードであったか否かを判断する。ステップ６０の動作は、ステップ５０と同様であり、後述する。ステップ６０の判断結果がイエスで、ハイバネーション・モードの場合、ステップ６２に進み、オペレーティング・システムがハードディスク１８から退避データを読み出し、ＲＡＭ１６に転送する。その後、ステップ６４に進み、アプリケーション・ソフトウェアの制御により、ＲＡＭ１６に記憶された退避データを測定器２４内のＦＰＧＡ２６及びレジスタ２８に転送して、測定器６４を初期化する。よって、この初期化により、電源スイッチ３２がオフになった時の状態へ、測定器６４を確実且つ迅速に戻すことができる。
【００１６】
ステップ６０にて、ハイバネーション・モードでないと（ノーであると）判断されると、ステップ６６に進み、アプリケーション・ソフトウェアがハードディスク１８から初期化データを読み出し、ＲＡＭ１６に転送する。その後、ステップ６８に進み、ＲＡＭ１６に記憶された初期化データを、アプリケーション・ソフトウェアの制御により測定器２４内のＦＰＧＡ２６及びレジスタ２８に転送して、測定器６４を初期化する。この場合の初期化は、電源スイッチ３２がオフになった時の状態に関係なく、測定器２４を初期値（デフォルト値）に設定する。これらステップ６６及び６８の動作は、従来の測定装置の電源オンの動作と同様である。
【００１７】
図４は、ステップ６０において、ハイバネーション・モードで電源がオフとされて、その後電源がオンとなったか否かを判断するタイマー・ルーチンの動作を説明する流れ図である。ステップ７０にて、時間間隔Ｔで、現在の時刻を検知し、検知した現在の時刻をＴｃとする。この場合、オペレーティング・システムがハイバネーション・モードから復帰するのに要する時間をＴｓとし、ハイバネーション・モードになるまでに要する時間をＴｆとすると、時間間隔Ｔは、Ｔ＜Ｔｓ＋Ｔｆとなる。ステップ７２にて、Ｔｃ−Ｔｐ＜Ｔ＋αかを判断する。なお、Ｔｐは、直前に実行したタイマー・ルーチンの時刻であり、αは、マージンである。イエスの場合は、ハイバネーション・モードで電源がオフとされていないので、ステップ７４に進み、ＴｃをＴｐとして保存し、ステップ７０に戻る。また、ステップ７２がノーの場合は、ハイバネーション・モードで電源がオフとされたので、ステップ７６に進み、ハイバネーション・モードであることを検出する。その後、ステップ７４に進み、ＴｃをＴｐとして保存して、ステップ７０に戻る。
【産業上の利用可能性】
【００１８】
上述では、測定器として信号発生器の場合を説明したが、オシロスコープ、ロジック・アナライザなどの種々の測定器に本発明を適用できる。また、測定器２４の初期化情報をＲＯＭに記憶し、このＲＯＭを測定器内に設けてもよい。その場合、初期化情報は、ハードディスク１８からではなく、このＲＯＭから読み出される。不揮発性記憶装置は、ハードディスクの他に、種々の不揮発性半導体メモリも利用できる。
【符号の説明】
【００１９】
１０  測定装置
１２  バス
１４  ＣＰＵ
１６  ＲＡＭ
１８  ハードディスク
２０  表示器
２２  入力装置
２４  測定器
２６  ＦＰＧＡ
２８  レジスタ
３０  電源制御器
３２  電源スイッチ
【図１】
2011013915.tif 000003
【図２】
2011013915.tif 000004
【図３】
2011013915.tif 000005
【図４】
2011013915.tif 000006